(57)【要約】【課題】  かやくなどの被秤量物の正確な所定量の切り出しを可能とし、かやく類が切り出される内面の洗浄を容易にして衛生的な切り出し秤量装置を提供する。【解決手段】  被秤量物２を収納するホッパ３と、このホッパの排出部３ａに連結されて、回転しながら被秤量物を切り出す複数の並列に設けられた切り出し筒４と、この切り出し筒を回転させる回転手段５と、切り出し筒から排出された被秤量物を受ける受け部材６と、この受け部材が受けた被秤量物を秤量する秤量器７と、この受け部材の排出口６ａに設けられた開閉蓋８と、この開閉蓋を開閉動作させる開閉手段９と、切り出し筒に設けられた外筒４ａと、この外筒に着脱自在に外嵌された内筒４ｂと、内筒のホッパ側の端部に、外筒のホッパ側の端部４ａａと当接させたフランジ４ｂｂとを備え、かやく類が切り出される内面４ｂａの洗浄を容易にした衛生的な切り出し秤量装置１を提供することができる。【選択図】図１
2011099754.tif 000002
【特許請求の範囲】
【請求項１】
被秤量物（２）を収納するホッパ（３）と、このホッパ（３）の排出部（３ａ）に連結されて、回転しながら前記被秤量物（２）を切り出す複数の並列に設けられた切り出し筒（４）と、この切り出し筒（４）を回転させる回転手段（５）と、前記切り出し筒（４）から排出された前記被秤量物（２）を受ける受け部材（６）と、この受け部材（６）が受けた被秤量物（２）を秤量する秤量器（７）と、この受け部材（６）の排出口（６ａ）に設けられた開閉蓋（８）と、この開閉蓋（８）を開閉動作させる開閉手段（９）と、
前記切り出し筒（４）に設けられた外筒（４ａ）と、この外筒（４ａ）に着脱自在に外嵌された内筒（４ｂ）と、
前記内筒（４ｂ）のホッパ（３）側の端部に、前記外筒（４ａ）のホッパ（３）側の端部（４ａａ）と当接させたフランジ（４ｂｂ）と、
を備えることを特徴とする切り出し秤量装置（１）。
【請求項２】
前記外筒（４ａ）の周囲に外嵌して固定された第１の歯車（１０）と、前記回転手段（５）の回転軸（５ａ）に固定された第２の歯車（１１）とが咬合するように配設され、前記第２の歯車（１１）に接続された前記回転手段（５）による回転駆動力が前記第１の歯車（１０）に伝達されて、前記外筒（４ａ）及び前記内筒（４ｂ）を回転させることを特徴とする請求項１に記載の切り出し秤量装置（１）。
【請求項３】
前記内筒（４ｂ）の内面（４ｂａ）には、この内面（４ｂａ）の長手方向に沿って複数の溝（４ｂｄ）を設けたことを特徴とする請求項１に記載の切り出し秤量装置（１）。
【請求項４】
前記溝（４ｂｄ）は、等間隔に設けられていることを特徴とする請求項３に記載の切り出し秤量装置（１）。
【発明の詳細な説明】
【技術分野】
【０００１】
本発明は、秤量して投入する切り出し秤量装置（プチスケール）に関し、切り出し筒の内筒の内面に複数の溝を設けることによって、例えば、インスタント麺類用のかやく、フリーズドライ製品、及びきざみのりなど小袋包装内に充填を要するものの正確な所定量の切り出しを可能とし、被秤量物の過剰または過少切り出しによるコスト高や不良品処置の手間などを解消できるとともに、切り出し筒の内筒と外筒を着脱可能な嵌挿構造にすることによって、内筒が簡単に取り外され、かやく類が切り出される内筒の内面の洗浄を容易にして衛生的な切り出し秤量装置を提供することができる。
【背景技術】
【０００２】
従来の切り出し秤量装置として、例えば、ラーメン、うどん、蕎麦、焼きそばなどのインスタント麺類の袋中に収納する海苔、胡麻、乾燥魚肉類、乾燥野菜類（以下、これらをかやくという）などを計量して小袋に袋詰めするものがある。
図９は、従来の切り出し秤量装置の概略を示す正面断面図である。
図９に示すように、切り出し秤量装置１１０は、被秤量物（かやく）１１１を収納するホッパ１１２と、このホッパ１１２の排出部１１２ａに連結されて、被秤量物１１１を切り出す、下方傾斜した適度な長さの切り出し筒１１３と、この切り出し筒１１３を回転させる回転手段（モータ回転機構）１１５と、この切り出し筒１１３の排出口１１６ａに設けられた、切り出し筒１１３から投下された被秤量物１１１を受ける受け部材１１６と、この受け部材１１６の排出口に設けられた開閉蓋１１７と、この受け部材１１６が受けた被秤量物１１１を秤量する秤量器（ロードセル）１１８と、受け部材１１６に設けられた開閉蓋１１７を開閉する開閉手段（ソレノイド）１１９とを備えている。
なお、ここでいう被秤量物１１１とは、ホッパ１１２内から切り出し可能な粉粒体、片状体、小塊状体などをいう。
【０００３】
また、この切り出し秤量装置１１０は、ホッパ１１２の排出部１１２ａと、切り出し筒１１３との間に、被秤量物１１１の切り出し調整可能な筒状のアタッチメント１４１を着脱可能に設けるように構成されている。このアタッチメント１４１は、内部流路の内径を異ならせて被秤量物１１１の切り出し調整をするものである。
このアタッチメント１４１には、ホッパ１１２側の端部に被秤量物１１１の切り出し突起１４１ａが設けられ、また、ホッパ１１２側の排出部１１２ａに被秤量物１１１の切り出し螺旋体１４１ｄが設けられている。
【０００４】
これらによってホッパ１１２の排出部１１２ａから排出された被秤量物１１１は、回転手段１１５により回転している下方傾斜した切り出し筒１１３から、連続的に切り出されて受け部材１１６内に投下され、秤量器１１８により秤量され、所定重量に達した切り出しを停止し開閉手段１１９により受け部材１１６の開閉蓋１１６ａを開いて、秤量された被秤量物１１１を排出するので、正確な所定量の切り出しができて、被秤量物１１１の過剰または過少切り出しによるコスト高や不良品処置の手間などを解消できる。特に、回転する下方傾斜した適度な長さの切り出し筒１１３内を、被秤量物１１１が徐々に流れるので、被秤量物１１１の均一化が行なわれ、切り出し筒１１３の下端から定量排出が行なわれる。また、切り出し量の調整は、切り出し筒１１３の回転速度及び／又は傾斜を変えることによって可能である。
【０００５】
また、ホッパ１１２の排出部１１２ａと、切り出し筒１１３との間に着脱可能なアタッチメント１４１を装着するので、ホッパ１１２内の被秤量物１１１を切り出し筒１１３内へ導入する切り出し調整を被秤量物１１１の大きさや形状などの品種に応じてできる。
【０００６】
さらに、ホッパ１１２の排出部１１２ａから排出された流動性の良い被秤量物（例えば胡麻）１１１は、アタッチメント１４１を通過する際に、その内径が異なる（有効通過断面積が異なる）内部流路を通過して流量調整されるので、粒径の小さな被秤量物１１１の流量調整が容易にできる。
【０００７】
そして、切り出し筒１１３と共にアタッチメント１４１が回転すると、その切り出し突起１４１ａが、例えばホッパ１１２の排出部１１２ａ付近にある固まった被秤量物１１１を掻き崩すので、その切り出しにおいて、被秤量物１１１がホッパ１１２の排出部１１２ａ付近で詰まり難い。
【０００８】
また、切り出し筒１１３と共にアタッチメント１４１が回転すると、その切り出し螺旋体１４１ｄが所定方向へ回転するが、切り出し螺旋体１４１ｄの曲がり方向と同一方向に回転する場合には、ホッパ１１２の排出部１１２ａ付近にある被秤量物１１１の切り出し筒１１３側への流入を促進し、また切り出し螺旋体１４１ｄの曲がり方向と反対方向に回転する場合には、ホッパ１１２の排出部１１２ａ付近の被秤量物１１１の切り出し筒１１３側への流入を抑制し、被秤量物１１１の品種に合わせて、その回転方向を正逆選択することにより、被秤量物１１１の切り出し調整の幅が広がる。このようにホッパ１１２内の被秤量物１１１を、軸芯ａが下方傾斜した切り出し筒１１３を、回転手段１３０により回転させながら、徐々に受け部材１１６に投下し、それを秤量器１１８により秤量するようにしたので、正確な所定量の切り出しができて、被秤量物１１１の過剰または過少切り出しによるコスト高や不良品処置の手間などを解消できる。
特に、ホッパ１１２の排出部１１２ａに着脱可能に装着されたアタッチメント１４１により、ホッパ１１２内の被秤量物１１１を切り出し筒１１３内へ導入する切り出し調整が、被秤量物１１１の大きさや形状などの品種に応じて簡単にできる（特許文献１参照）。
【先行技術文献】
【特許文献】
【０００９】
【特許文献１】特許第２６４９３３５号
【発明の概要】
【発明が解決しようとする課題】
【００１０】
しかしながら、食料品を扱う上で衛生的な切り出し秤量装置においては、装置を毎日頻繁に清掃する必要があるが、かやく類が流動する部品を取り外して洗浄するのに都合の良い構造がさらに求められていた。
【００１１】
本発明はこのような事情に鑑みてなされたもので、切り出し筒の内筒の内面に複数の溝を設けることによって正確な所定量の切り出しができ、被秤量物の過剰または過少切り出しによるコスト高や不良品処置の手間などを解消できるとともに、内筒と外筒とを着脱可能に嵌挿することによって、内筒が簡単に取り外され、かやく類が切り出される内面の洗浄を容易にした衛生的な切り出し秤量装置を提供することを目的とする。
【課題を解決するための手段】
【００１２】
請求項１に係る発明の切り出し秤量装置１は、被秤量物２を収納するホッパ３と、このホッパ３の排出部３ａに連結されて、回転しながら前記被秤量物２を切り出す複数の並列に設けられた切り出し筒４と、この切り出し筒４を回転させる回転手段５と、前記切り出し筒４から排出された前記被秤量物２を受ける受け部材６と、この受け部材６が受けた被秤量物２を秤量する秤量器７と、この受け部材６の排出口６ａに設けられた開閉蓋８と、この開閉蓋８を開閉動作させる開閉手段９と、前記切り出し筒４に設けられた外筒４ａと、この外筒４ａに着脱自在に外嵌された内筒４ｂと、前記内筒４ｂのホッパ３側の端部に、前記外筒４ａのホッパ３側の端部４ａａと当接させたフランジ４ｂｂと、を備えることを特徴とする。
【００１３】
請求項２に係る発明は、請求項１に記載の切り出し秤量装置１であって、前記外筒４ａの周囲に外嵌して固定された第１の歯車１０と、前記回転手段５の回転軸５ａに固定された第２の歯車１１とが咬合するように配設され、前記第２の歯車１１に接続された前記回転手段５による回転駆動力が前記第１の歯車１０に伝達されて、前記外筒４ａ及び前記内筒４ｂを回転させることを特徴とする。
【００１４】
請求項３に係る発明は、請求項１に記載の切り出し秤量装置１であって、前記内筒４ｂの内面４ｂａには、この内面４ｂａの長手方向に沿って複数の溝４ｂｄを設けたことを特徴とする。
【００１５】
請求項４に係る発明は、請求項３に記載の切り出し秤量装置１であって、前記溝４ｂｄは、等間隔に設けられていることを特徴とする。
【発明の効果】
【００１６】
請求項１に係る発明によれば、切り出し筒の内筒の内面に複数の溝を設けることによって正確な所定量の切り出しができ、被秤量物の過剰または過少切り出しによるコスト高や不良品処置の手間などを解消できるとともに、食料品を扱う上で衛生的な切り出し装置においては、装置を毎日頻繁に清掃する必要があるが、内筒と外筒とを着脱可能に嵌挿することによって、かやく類が流動する部品を取り外して洗浄するのに都合の良い構造とすることができ、内筒が簡単に取り外され、かやく類が切り出される内面の洗浄を容易にした衛生的な切り出し秤量装置を提供することができる。
【００１７】
請求項２に係る発明によれば、外筒の周囲に外嵌して固定された第１の歯車と、回転手段の回転軸に固定された第２の歯車とが咬合するように配設されることによって、かやく類が流動する部品を取り外して洗浄するのに都合の良い構造とすることができ、内筒が簡単に取り外され、かやく類が切り出される内面の洗浄を容易にした衛生的な切り出し秤量装置を提供することができる。
【００１８】
請求項３に係る発明によれば、内筒の内面には、この内面の長手方向に沿って複数の溝を設けたことによって、正確な所定量の切り出しができ、被秤量物の過剰または過少切り出しによるコスト高や不良品処置の手間などを解消できる。
【００１９】
請求項４に係る発明によれば、溝を等間隔に設けることによって、正確な所定量の切り出しができ、被秤量物の過剰または過少切り出しによるコスト高や不良品処置の手間などを解消できるとともに、洗浄を容易にすることができる。
【００２０】
この発明の切り出し秤量装置１は、例えば、切り出し筒を８個並列に設けたことによって、８個の切り出し筒から排出された被計量物をそれぞれのロードセルで測定し、所定の重量になるように切り出し筒を選択する組み合わせ計量を可能とする。
【００２１】
この発明の切り出し秤量装置１に係る内筒は、例えば、ジュラコン及びシリコンなどで形成されることによって、被計量物の滑らかな流動性を確保して正確な所定量の切り出しを可能とすると共に、内筒が簡単に取り外されることによって、かやく類が切り出される内面の洗浄を容易にした衛生的な切り出し秤量装置を提供することができる。
【発明を実施するための形態】
【００２２】
＜第１の実施形態＞
以下、本発明の第１の実施形態に係る切り出し秤量装置（プチスケール）を図面を参照しながら詳細に説明する。
図１は、本発明の第１の実施形態を説明するための切り出し秤量装置の正面図である。図２は、本発明の第１の実施形態に係る切り出し筒の周辺を示す正面図である。図３は、本発明の第１の実施形態に係る切り出し筒の周辺を示す側面図である。
図１、図２及び図３に示すように、切り出し秤量装置１は、被秤量物（かやく）２を収納するホッパ３と、このホッパ３の排出部３ａに連結されて、回転しながら被秤量物２を切り出す複数の並列に設けられた切り出し筒４と、この切り出し筒４を回転させる回転手段５と、この切り出し筒４から排出された被秤量物２を受ける受け部材６と、この受け部材６が受けた被秤量物２を秤量する秤量器７と、この受け部材６の排出口６ａに設けられた開閉蓋８と、この開閉蓋８を開閉動作させる開閉手段９と、切り出し筒４に設けられた外筒４ａと、この外筒４ａに着脱自在に外嵌された内筒４ｂと、この内筒４ｂのホッパ３側の端部に、外筒４ａのホッパ３側の端部４ａａと当接させたフランジ４ｂｂとを備える。
【００２３】
このように切り出し筒４の内筒４ｂの内面に複数の溝４ｂｄを設けることによって正確な所定量の切り出しができ、被秤量物２の過剰または過少切り出しによるコスト高や不良品処置の手間などを解消できるとともに、食料品を扱う上で衛生的な切り出し装置においては、装置を毎日頻繁に清掃する必要があるが、内筒４ｂと外筒４ａとを着脱可能に嵌挿することによって、かやく類が流動する部品を取り外して洗浄するのに都合の良い構造とすることができ、内筒４ｂが簡単に取り外され、かやく類が切り出される内面４ｂａの洗浄を容易にした衛生的な切り出し秤量装置１を提供することができる。
また、切り出し筒４の内筒４ｂの洗浄後は、内筒４ｂのフランジ４ｂｂを外筒４ａに挿入して外筒４ａの端部４ａａに当接させることで位置決めされる。
【００２４】
また、切り出し秤量装置１は、被秤量物２の一例であるかやくを収納する横長なホッパ３と、ホッパ３の下部の排出部３ａに、横方向に一定間隔をあけて連結されて、かやく２を切り出す、複数個の切り出し筒４、４…４と、装置の架台１２に取り付けられて、切り出し筒４を回転させる回転手段５の一例である複数個のモータ回転機構５と、それぞれの排出口６ａ、６ａ…６ａに開閉蓋８が設けられて、切り出し筒４から投下されたかやく２を受ける略二等辺三角形の箱体である複数個の受け部材６、６…６と、受け部材６が受けたかやく２を秤量する秤量器７の一例である複数個のロードセル７、７…７と、開閉蓋８の開閉手段９の一例である複数個のソレノイド９とを備えている。なお、受け部材６を略二等辺三角形の箱体としたがこれに限定するものではなく、その他の形状でも構わない。
【００２５】
そしてホッパ３の排出部３ａから排出された被秤量物２は、回転手段５により回転している切り出し筒４から連続的に切り出されて受け部材６内に投下され、ロードセルからなる秤量器７により秤量される。受け部材６の被計量物２が所定重量に達したら、電動の開閉手段９により受け部材６の開閉蓋８が開かれて、秤量された被秤量物２を受け部材６から排出するので、正確な所定量の切り出しができて、被秤量物２の過剰または過少切り出しによるコスト高や不良品処置の手間などを解消できる。特に、回転駆動される切り出し筒４内を被秤量物２が徐々に流れるので、被秤量物２の均一化が図られ、切り出し筒４の下端から定量排出が行なわれる。また、切り出し量の調整は、切り出し筒４の回転速度を変えることによって可能である。
【００２６】
このような切り出し筒４は、８個並列に設けられており、それぞれ水平ラインａに対して０〜１５°、好ましくは２〜５°前後ほど軸芯ｂが下方傾斜した円筒形の筒体である。ただし、切り出し筒４の本数や、切り出し筒４の傾斜角は、これらの数値に限定されるものではない。なお、この切り出し筒４の長さは少なくとも内径の３〜５倍程度となっている。切り出し筒４は、切り出し筒４の外筒４ａの両端部がリング状のベアリングに嵌挿された状態で架台１２上に回転可能に配置され、この切り出し筒４の上部にそれぞれの切り出し筒４、４…４に対応した個数分のモータ回転機構５、５…５が配置されている。また、外筒４ａの周囲に外嵌して固定された第１の歯車（平歯車）１０と、回転手段５の回転軸５ａに固定された第２の歯車（平歯車）１１とが咬合するように配設され、第２の歯車１１に接続された回転手段５による回転駆動力が第１の歯車１０に伝達されて、外筒４ａ及び内筒４ｂを回転させる。架台１２は支柱１３と支柱１４に支持されている。支柱１３と架台１２とは、軸１２ａによって回動可能に設けられている。また支柱１４には、支柱１４の長さを調節することが可能なようにねじを回転させて高さを調節する調節構造１４ａが設けられている。支柱１４と架台１２とは、架台１２が軸１２ａを支点にして上下するように軸１２ｂが架台１２の軸穴１２ｃを摺動可能に設けられている。なお、高さ調整構造１４ａはローレット切りのナットを回転させることで支柱１４を上下させるが、電動機で回転させて自動調整させても構わない。かき棒４ｃは切り出し筒４の内面に沿って切り出し筒４の上部に設けられており、切り出し筒４の内面４ｂａに付着したかやくがあればそれをかき取ることができる。
【００２７】
また、次に説明する図４〜図６に示すように、この切り出し筒４において、その内筒４ｂの内面４ｂａには、この内面４ｂａの長手方向に沿って複数の溝４ｂｄを設けている。この溝４ｂｄは、その底には平坦面形状を設けるとともに角度６０度のＶ溝であり、等間隔で直線状に設けられている。また、内筒４ｂは、摩擦係数の小さいジュラコンで形成されている。また、テフロン（Ｒ）を用いても構わない。
【００２８】
また、図４〜図６は、本発明の実施形態に係る切り出し筒の詳細を示し、各図の（ａ）は正面図、（ｂ）は側面図、（ｃ）は（ａ）に示すＶ溝の拡大図である。
図４、図５、及び図６の違いは、切り出し筒の内面に設けられた溝の数が３６山、４８山、及び６０山の違いであり、さらに、切り出し筒の外径がφ４１．３、φ５２．７、及びφ６６の違いである。溝の数や外径は、これらの数値に限定されるものではなく適宜、変更可能である。
このように、外径及びそれに伴い内径の異なる切り出し筒を用いることによって、ホッパ３の排出部３ａから排出された、例えば、流動性の良い被秤量物（胡麻など）２は、切り出し筒４を通過する際に、その内径が異なる（有効通過断面積が異なる）内部流路を通過して流量調整されるので、粒径の異なる被秤量物２でも流量調整が容易に可能である。
【００２９】
このように、外筒４ａの周囲に外嵌して固定された第１の歯車１０と、回転手段５の回転軸５ａに固定された第２の歯車１１とが咬合するように配設されることによって、かやく類が流動する部品を取り外して洗浄するのに都合の良い構造とすることができ、内筒４ｂが簡単に取り外され、かやく類が切り出される内面４ｂａの洗浄を容易にした衛生的な切り出し秤量装置を提供することができる。
【００３０】
続いて、本発明の第１の実施形態に係る切り出し秤量装置１の動作を説明する。
図１、図２、及び図３に示すように、排出部３ａへ送り込まれたかやく２は、この排出部３ａから切り出し筒４へ移送される。切り出し筒４は、約５°下方傾斜して、モータなどの回転手段５により周方向に０〜１．５ｒｐｓの一定速度または段階的に変化する速度で、ほとんど振動なく回転させており、かやく２は、この切り出し筒４を通過中に均されて、その排出口から連続的に一定量ずつ受け部材６内へ投下される。切り出し筒４の回転方向は、８本とも同一方向でも良いが、本実施形態では図３に示す矢印のように隣接する切り出し筒４、４は互いに反転するように設定した。これは被秤量物２が切り出し筒４へ投入される際に排出部３ａで均され易く精度が上がるためである。かき棒４ｃは切り出し筒４の内面４ｂａに付着したかやくがあればそれをかき取るように切り出し筒４の内面に沿って切り出し筒４の上部に設けられている。受け部材６は、ロードセル７上に当接して載置されており、予め設定された所定量だけ受け部材６内にかやくが溜まったら、それをロードセル７が検出し、制御装置（図略）により、切り出し筒４から受け部材６へのかやく２の投下を止めて、ソレノイド９によって開閉蓋８が開蓋される。これにより、計量済みのかやく２は、受け部材６の排出口６ａから、シュート１５を介して、袋詰め装置（図略）に送られる。次いで、切り出し筒４の開閉蓋８を閉め、以下、これまでの秤量操作を繰り返す。
【００３１】
＜第２の実施形態＞
次に、本発明の第２の実施形態に係る切り出し秤量装置（プチスケール）を図面を参照しながら詳細に説明する。
図７は、本発明の第２の実施形態を説明するための切り出し秤量装置の側面図である。第２の実施形態が第１の実施形態と異なる点は、溝を曲線状に設けた点である。
尚、図７において、図１〜図６と同様の構成については同符合を付し、その説明を省略する。
図７に示すように、内筒４ｂ´´´の内面に、切り出し筒４の長手方向に沿って曲線状のＶ溝４ｂｄ´´´を設けている。これによって、かやくは、この切り出し筒４を通過中に均されて、その排出口から連続的に一定量ずつ受け部材６内へ投下することができ、正確な所定量の切り出しができ、被秤量物の過剰または過少切り出しによるコスト高や不良品処置の手間などを解消できるとともに、洗浄を容易にすることができる。なお、曲線状の溝はらせん状に形成されても構わない。
【００３２】
＜第３の実施形態＞
また、本発明の第３の実施形態に係る切り出し秤量装置（プチスケール）を図面を参照しながら詳細に説明する。
図８は、本発明の第３の実施形態を説明するための切り出し秤量装置の側面図である。第３の実施形態が第１の実施形態と異なる点は、切り出し筒の内面に少なくとも一つの突起を設けた点である。
尚、図８において、図１〜図７と同様の構成については同符合を付し、その説明を省略する。
図８に示すように、内筒４ｂ´´´´の内面に少なくとも一つの錐形状、柱状、及び錐台状などの突起を設けている。これによって、かやく２は、これらの突起４ｂｄｆによって、この切り出し筒４を通過中に均されて、その排出口から連続的に一定量ずつ受け部材６内へ投下することができ、正確な所定量の切り出しができ、被秤量物の過剰または過少切り出しによるコスト高や不良品処置の手間などを解消できるとともに、洗浄を容易にすることができる。
【００３３】
以上、好ましい実施の形態を説明したが、本発明は前記実施の形態に限定されるものではなく、本発明の要旨を逸脱することの無い範囲内において適宜変更が可能なものである。例えば、ホッパの形状や切り出し筒の形状など、実施例のものに限定されない。被秤量物としてかやくを採用したが、これに限定するものではなく、ホッパ内から切り出し可能な粉粒体、片状体、小塊状体などであれば、その品種は限定されない。さらにまた、実施例では、秤量器としてロードセルを採用したが、これに限定するものではなく、その他どのような秤量器でも構わない。そして、受け部材や開閉蓋の形状や開閉手段の構造などは、実施例のものに限定するものではなく、その用途や取り扱う被秤量物に応じて、適宜選択可能である。
【図面の簡単な説明】
【００３４】
【図１】本発明の第１の実施形態を説明するための切り出し秤量装置の正面図である。
【図２】本発明の第１の実施形態に係る切り出し筒の周辺を示す正面図である。
【図３】本発明の第１の実施形態に係る切り出し筒の周辺を示す側面図である。
【図４】本発明の第１の実施形態に係る切り出し筒の詳細を示し、（ａ）は正面図、（ｂ）は側面図、（ｃ）は（ａ）に示すＶ溝の拡大図である。
【図５】本発明の第１の実施形態に係る切り出し筒の詳細を示し、（ａ）は正面図、（ｂ）は側面図、（ｃ）は（ａ）に示すＶ溝の拡大図である。
【図６】本発明の第１の実施形態に係る切り出し筒の詳細を示し、（ａ）は正面図、（ｂ）は側面図、（ｃ）は（ａ）に示すＶ溝の拡大図である。
【図７】本発明の第２の実施形態に係る曲線状の溝を設けた切り出し筒の詳細を示し、（ａ）は正面図、（ｂ）は側面図である。
【図８】本発明の第３の実施形態に係る突起を設けた切り出し筒の詳細を示し、（ａ）は正面図、（ｂ）は側面図である。
【図９】従来の実施形態を切り出し秤量装置の側面図である。
【産業上の利用可能性】
【００３５】
インスタント麺類用のかやくの正確な所定量の切り出しを可能とし、切り出し筒の内筒と外筒を着脱可能に嵌挿することによって、内筒が簡単に取り外され、かやく類が切り出される内面の洗浄を容易にして衛生的な切り出し秤量装置に適用される。
【符号の説明】
【００３６】
１  切り出し秤量装置
２  被秤量物（かやく）
３  ホッパ
３ａ  排出部
４  切り出し筒
４ａ  外筒
４ａａ  端部
４ｂ  内筒
４ｂｂ  フランジ
４ｃ  かき棒
５  回転手段、モータ
６  受け部材
７  秤量器、ロードセル
８  開閉蓋
９  開閉手段、ソレノイド
１０  第１の歯車
１１  第２の歯車
１２  架台
１２ａ、１２ｂ  軸
１２ｃ  軸穴
１３  支柱
１４  支柱
１４ａ  高さ調整構造
１５  シュート
【図１】
2011099754.tif 000003
【図２】
2011099754.tif 000004
【図３】
2011099754.tif 000005
【図４】
2011099754.tif 000006
【図５】
2011099754.tif 000007
【図６】
2011099754.tif 000008
【図７】
2011099754.tif 000009
【図８】
2011099754.tif 000010
【図９】
2011099754.tif 000011